(57)【要約】【課題】急激な下り送信電力の変化を抑制することが可能な無線基地局装置の提供。【解決手段】上りＴＰＣコマンド検出部３１は、端末装置２あるいは３から送信される上り信号よりＴＰＣコマンドを検出する。内部カウンタ３２は、同一の値のＴＰＣコマンドが連続する回数をカウントする。電力制御部３３は、内部カウンタ３２のカウント回数が規定回数以上になった場合に、上りＴＰＣコマンドによる下り送信電力制御を一定期間停止する。つまり、一定期間ＴＰＣコマンドによる下り送信電力の変化量ΔＴＰＣをゼロにする。送信電力決定部３４は、ΔＴＰＣの値を加味して最終的な下り送信電力を決定する。【選択図】      図３
2004328689.tif 000002
【特許請求の範囲】
【請求項１】
端末装置から送信される送信電力制御情報を受信し、その送信電力制御情報に基づき前記端末装置に対する下り送信電力を制御する無線基地局装置であって、
同じ値の前記送信電力制御情報が連続受信される回数を計数する計数手段と、その計数結果に基づき前記下り送信電力を制御する電力制御手段とを含むことを特徴とする無線基地局装置。
【請求項２】
前記電力制御手段は前記同じ値の送信電力制御情報が連続受信される回数が第１閾値に達した場合、前記下り送信電力に制限を加えることを特徴とする請求項１記載の無線基地局装置。
【請求項３】
前記電力制御手段は前記下り送信電力の変化量をゼロにすることを特徴とする請求項２記載の無線基地局装置。
【請求項４】
前記電力制御手段は前記下り送信電力の変化量に制限を加えた後、さらに前記同じ値の送信電力制御情報が連続受信される回数が第２閾値に達した場合、前記下り送信電力に対する制限を解除することを特徴とする請求項２又は３記載の無線基地局装置。
【請求項５】
前記電力制御手段は、前記下り送信電力の制御に加え、下り送信電力の総和に第３閾値を設け、送信電力の総和がその第３閾値に達した場合に送信電力の変化量をゼロにすることを特徴とする請求項１から４いずれかに記載の無線基地局装置。
【請求項６】
前記第１閾値及び前記第２閾値の両者あるいはこれらのいずれかは動作環境に応じて変化させられることを特徴とする請求項２から４いずれかに記載の無線基地局装置。
【請求項７】
端末装置から送信される送信電力制御情報を受信し、その送信電力制御情報に基づき前記端末装置に対する下り送信電力を制御する無線基地局装置における電力制御方法であって、
同じ値の前記送信電力制御情報が連続受信される回数を計数する計数ステップと、その計数結果に基づき前記下り送信電力を制御する電力制御ステップとを含むことを特徴とする電力制御方法。
【請求項８】
前記電力制御ステップは前記同じ値の送信電力制御情報が連続受信される回数が第１閾値に達した場合、前記下り送信電力に制限を加えることを特徴とする請求項７記載の電力制御方法。
【請求項９】
前記電力制御ステップは前記下り送信電力の変化量をゼロにすることを特徴とする請求項８記載の電力制御方法。
【請求項１０】
前記電力制御ステップは前記下り送信電力の変化量に制限を加えた後、さらに前記同じ値の送信電力制御情報が連続受信される回数が第２閾値に達した場合、前記下り送信電力に対する制限を解除することを特徴とする請求項８又は９記載の電力制御方法。
【請求項１１】
前記電力制御ステップは、前記下り送信電力の制御に加え、下り送信電力の総和に第３閾値を設け、送信電力の総和がその第３閾値に達した場合に送信電力の変化量をゼロにすることを特徴とする請求項７から１０いずれかに記載の電力制御方法。
【請求項１２】
前記第１閾値及び前記第２閾値の両者あるいはこれらのいずれかは動作環境に応じて変化させられることを特徴とする請求項８から１０いずれかに記載の電力制御方法。
【請求項１３】
端末装置から送信される送信電力制御情報を受信し、その送信電力制御情報に基づき前記端末装置に対する下り送信電力を制御する無線基地局装置における電力制御方法をコンピュータに実行させるためのプログラムであって、
同じ値の前記送信電力制御情報が連続受信される回数を計数する計数ステップと、その計数結果に基づき前記下り送信電力を制御する電力制御ステップとを含むことを特徴とするプログラム。
【請求項１４】
前記電力制御ステップは前記同じ値の送信電力制御情報が連続受信される回数が第１閾値に達した場合、前記下り送信電力に制限を加えることを特徴とする請求項１３記載のプログラム。
【請求項１５】
前記電力制御ステップは前記下り送信電力の変化量をゼロにすることを特徴とする請求項１４記載のプログラム。
【請求項１６】
前記電力制御ステップは前記下り送信電力の変化量に制限を加えた後、さらに前記同じ値の送信電力制御情報が連続受信される回数が第２閾値に達した場合、前記下り送信電力に対する制限を解除することを特徴とする請求項１４又は１５記載のプログラム。
【請求項１７】
前記電力制御ステップは、前記下り送信電力の制御に加え、下り送信電力の総和に第３閾値を設け、送信電力の総和がその第３閾値に達した場合に送信電力の変化量をゼロにすることを特徴とする請求項１３から１６いずれかに記載のプログラム。
【請求項１８】
前記第１閾値及び前記第２閾値の両者あるいはこれらのいずれかは動作環境に応じて変化させられることを特徴とする請求項１４から１６いずれかに記載のプログラム。
【発明の詳細な説明】
【０００１】
【発明の属する技術分野】
本発明は、無線基地局装置及びその装置における電力制御方法並びにプログラムに関し、特に端末装置からの送信電力制御情報（例えば、ＴＰＣ（Ｔｒａｎｓｍｉｔ  Ｐｏｗｅｒ  Ｃｏｎｔｒｏｌ）コマンド）に基づき下り送信電力を制御する無線基地局装置及びその装置における電力制御方法並びにプログラムに関する。
【０００２】
【従来の技術】
従来の端末装置は、無線基地局装置からの下り信号を受け、その受信レベルから判断し無線基地局装置に対して、送信電力制御情報を用いて下り送信電力に対する増加要求あるいは低減要求を通知する。
【０００３】
この種の従来技術の一例として、現環境下での最適送信電力を制御部で求め、送信電力制御情報に基づく送信電力が最適送信電力を越える場合は、リミット部で送信電力を最適送信電力に制限する技術が開示され（例えば、特許文献１参照）、他の一例として上り・下り方向チャネルのうち片方のチャネルの通信品質が劣化して改善しないような場合、他方のチャネルの出力を下げることにより、過剰な電力送出による他の通信への干渉を軽減する技術が開示されている（例えば、特許文献２参照）。
【０００４】
又、所定時間内に受信したＴＰＣのうち同じ値のＴＰＣが何個存在するかに応じて送信電力の増加あるいは減少に制限を加える技術が開示されている（例えば、非特許文献１参照）。
【０００５】
【特許文献１】
特開２００１−３４５７５７号公報（段落００２１、００２９、図１）
【０００６】
【特許文献２】
特開平１０−１７３５９３号公報（段落００８２、図１）
【０００７】
【非特許文献１】
３ＧＰＰ  ＴＳ２５．２１４  Ｖ５．３．０（２００２−１２）（５．２章）
【０００８】
【発明が解決しようとする課題】
ある端末装置に対する下り送信電力が急激に変化した場合、干渉による他の端末の受信レベル低下あるいは増加を引き起こす可能性があり、受信レベルが低下した端末に関しては、下り送信電力に対する増加要求を実施してしまうという悪循環に陥る可能性がある。
【０００９】
一方、上記特許文献１、２及び非特許文献１には一定の条件において送信電力に制限を加える技術が開示されているが、本発明のように同じ値の送信電力情報が一定回数連続して受信された場合に送信電力に制限を加える技術は上記特許文献１、２及び非特許文献１のいずれにも開示されていない。
【００１０】
そこで本発明の目的は、同じ値の送信電力制御情報が一定回数連続して受信された場合に送信電力に制限を加えることができ、もって急激な下り送信電力の変化に起因する他の端末装置への干渉を低減させることが可能な無線基地局装置及びその装置における電力制御方法並びにプログラムを提供することにある。
【００１１】
【課題を解決するための手段】
本発明による無線基地局装置は、端末装置から送信される送信電力制御情報を受信し、その送信電力制御情報に基づき前記端末装置に対する下り送信電力を制御する無線基地局装置であって、その装置は同じ値の前記送信電力制御情報が連続受信される回数を計数する計数手段と、その計数結果に基づき前記下り送信電力を制御する電力制御手段とを含むことを特徴とする。
【００１２】
又、本発明による電力制御方法は、端末装置から送信される送信電力制御情報を受信し、その送信電力制御情報に基づき前記端末装置に対する下り送信電力を制御する無線基地局装置における電力制御方法であって、その方法は同じ値の前記送信電力制御情報が連続受信される回数を計数する計数ステップと、その計数結果に基づき前記下り送信電力を制御する電力制御ステップとを含むことを特徴とする。
【００１３】
又、本発明によるプログラムは、端末装置から送信される送信電力制御情報を受信し、その送信電力制御情報に基づき前記端末装置に対する下り送信電力を制御する無線基地局装置における電力制御方法をコンピュータに実行させるためのプログラムであって、そのプログラムは同じ値の前記送信電力制御情報が連続受信される回数を計数する計数ステップと、その計数結果に基づき前記下り送信電力を制御する電力制御ステップとを含むことを特徴とする。
【００１４】
本発明によれは、同じ値の送信電力制御情報が一定回数連続して受信された場合に送信電力に制限を加えることができ、もって急激な下り送信電力の変化に起因する他の端末装置への干渉を低減させることが可能となる。
【００１５】
【発明の実施の形態】
以下、本発明の実施例について添付図面を参照しながら説明する。図１は本発明に係る無線基地局装置を含む通信システムの一例の構成図である。同図を参照すると、通信システムは無線基地局装置１と、端末装置２，３とを含んでいる。
【００１６】
無線基地局装置１は端末装置２あるいは３から送信される上り信号に多重されたＴＰＣコマンド（以下、上りＴＰＣコマンドと称する）を受信し、その値に応じて下りの送信電力を増加あるいは減少させることにより下り送信電力を制御する。ＴＰＣコマンドは、例えば、送信電力の増加を要求する場合が“１”、送信電力の減少を要求する場合が“０”である。
【００１７】
本発明は、端末装置２あるいは３から同じ値の上りＴＰＣコマンドを連続して受信した場合に、下り送信電力に制限をかけることにより、急激な下り送信電力の変化を抑制し、他の端末装置への干渉を低減させる無線基地局装置を提供するものである。なお、本発明では端末装置が２個の場合について説明するが、これに限定されるものではなく、個数は任意である。
【００１８】
図２は本発明に係る無線基地局装置の一例の全体構成図である。同図を参照すると、本発明における無線基地局装置１は例えば受信アンテナ１１と、無線受信部１２と、逆拡散部１３と、チャネル（ＣＨ）デコード部１４と、送信アンテナ１９と、無線送信部２０と、送信電力設定部２１と、拡散器２２と、チャネル（ＣＨ）コーディング部２３とを含んで構成される。
【００１９】
さらに、逆拡散部１３は逆拡散器１５と、下り電力制御部１６と、Ｒａｋｅ合成部１７と、記憶部１８とを含んで構成される。
【００２０】
そして、受信アンテナ１１を介して無線受信部１２で受信された信号は逆拡散部１３へ入力される。逆拡散部１３では無線受信部１２から出力された信号が逆拡散器１５にて逆拡散され、逆拡散された信号は下り電力制御部１６を介してＲａｋｅ合成部１７でＲａｋｅ合成される。そして、Ｒａｋｅ合成された信号はチャネル（ＣＨ）デコード部１４でデコードされた後、無線基地局装置１内部の図示しない部位にて処理される。その処理の内容は本発明とは無関係であるため、説明を省略する。
【００２１】
又、下り電力制御部１６は逆拡散器１５から出力された信号から検出したＴＰＣコマンドに基づいて後述する送信電力設定部２１に送信電力を設定させる。又、下り電力制御部１６は記憶部１８に格納された後述するプログラムに基づいて下り電力の制御を行う。
【００２２】
一方、無線基地局装置１内部の図示しない部位にて処理された信号はチャネル（ＣＨ）コーディング部２３でコーディングされた後、拡散器２２で拡散される。そして、拡散された信号は送信電力設定部２１で所定の送信電力に設定された後、無線送信部２０に入力され、さらに送信アンテナ１９を介して送信される。
【００２３】
次に、無線基地局装置内の下り電力制御部の構成について説明する。図３は本発明に係る下り電力制御部の一例の構成図である。同図を参照すると、下り電力制御部１６は、例えば上りＴＰＣコマンド検出部３１と、内部カウンタ３２と、電力制御部３３と、送信電力決定部３４とを含んで構成される。
【００２４】
上りＴＰＣコマンド検出部３１は端末装置２，３から送信される上り信号よりＴＰＣコマンドを検出する。内部カウンタ３２は上りＴＰＣコマンド検出部３１で検出されたＴＰＣコマンドより、同一の値が連続する回数をカウントする。
【００２５】
電力制御部３３は内部カウンタ３２よりカウントされた回数が規定回数以上になった場合に、上りＴＰＣコマンドによる送信電力制御を一定期間停止する。
【００２６】
つまり、一定期間ＴＰＣコマンドによる送信電力の変化量ΔＴＰＣをゼロにする。送信電力決定部３４はΔＴＰＣの値を加味して最終的な送信電力を決定する。
【００２７】
次に、下り電力制御部１６の動作について図４のフローチャート及び図５のタイミングチャートを参照しながら説明する。
【００２８】
図５に受信ＴＰＣコマンドの値と下り送信電力との関係の一例が示されている。同図を参照すると、受信ＴＰＣコマンドの値“０”もしくは“１”の連続数が３以下の場合（ＴＰＣ受信タイミングがＲ１〜Ｒ１３の場合）は従来と同様の下り送信電力制御が実行される。即ち、“０”が２回もしくは３回連続する場合は送信電力が段階的に減少され、“１”が２回もしくは３回連続する場合は送信電力が段階的に増加される。
【００２９】
一方、受信ＴＰＣコマンドの値“０”及び“１”の連続数が４以上の場合（ＴＰＣ受信タイミングがＲ１７〜Ｒ２３の場合）は本発明による下り送信電力制御が実行される。
【００３０】
内部カウンタ３２は内部カウンタ（Ｎ）と内部カウンタ（Ｍ）とから構成されており、Ｎは内部カウンタ（Ｎ）のカウント値、ＴＰＣ  ＣＮＴは内部カウンタ（Ｎ）のカウント閾値を示し、Ｍは内部カウンタ（Ｍ）のカウント値、Ｔ  ＴＰＣは内部カウンタ（Ｍ）のカウント閾値を示す。本実施例の場合、一例としてＴＰＣ  ＣＮＴ＝５、Ｔ  ＴＰＣ＝３としている。
【００３１】
以下、ＴＰＣ受信タイミングがＲ１１〜Ｒ２３の場合を例に挙げ、動作について説明する。なお、初期設定としてＮ＝０、Ｍ＝０が設定されているものとする。
【００３２】
ＴＰＣ受信タイミングがＲ１１の場合。
【００３３】
無線基地局装置１は、端末装置２もしくは３からの上り信号を受信し、上り信号に多重された上りＴＰＣコマンドを検出する（Ｓ１）。検出された上りＴＰＣコマンド“０”（ＴＰＣ（ｋ））が１つ前（Ｒ１０）に検出されたＴＰＣコマンド“１”（ＴＰＣ（ｋ−１））と比較され（Ｓ２）、値が異なるので（Ｓ２にてＮｏ）、内部カウンタ（Ｎ）のＮ＝０の処理（Ｓ１１）を経て、内部カウンタ（Ｎ）のＮの値とＴＰＣ  ＣＮＴ＝５の値とを比較する（Ｓ４）。Ｎ＝０なので（Ｓ４にてＮｏ）、電力制御部３３にてΔＴＰＣが算出され（Ｓ９）、送信電力決定部３４にて下り送信電力が決定される（Ｓ１０）。
【００３４】
ＴＰＣ受信タイミングがＲ１２の場合。
【００３５】
続いて、次の上り信号を受信し、上り信号に多重された上りＴＰＣコマンドを検出する（Ｓ１）。検出された上りＴＰＣコマンド“０”（ＴＰＣ（ｋ））が１つ前（Ｒ１１）に検出されたＴＰＣコマンド“０”（ＴＰＣ（ｋ−１））と比較され（Ｓ２）、値が同じなので（Ｓ２にてＹｅｓ）、内部カウンタ（Ｎ）のＮに１を加算する（Ｓ３）。これにより、Ｎ＝１となる。次に、Ｎの値とＴＰＣ  ＣＮＴ＝５の値とを比較する（Ｓ４）。Ｎ＜ＴＰＣ  ＣＮＴ＝５なので（Ｓ４にてＮｏ）、電力制御部３３にてΔＴＰＣが算出され（Ｓ９）、送信電力決定部３４にて下り送信電力が決定される（Ｓ１０）。
【００３６】
ＴＰＣ受信タイミングがＲ１３の場合。
【００３７】
続いて、次の上り信号を受信し、上り信号に多重された上りＴＰＣコマンドを検出する（Ｓ１）。検出された上りＴＰＣコマンド“０”（ＴＰＣ（ｋ））が１つ前（Ｒ１２）に検出されたＴＰＣコマンド“０”（ＴＰＣ（ｋ−１））と比較され（Ｓ２）、値が同じなので（Ｓ２にてＹｅｓ）、内部カウンタ（Ｎ）のＮに１を加算する（Ｓ３）。これにより、Ｎ＝２となる。次に、Ｎの値とＴＰＣ  ＣＮＴ（Ｎ）＝５の値とを比較する（Ｓ４）。Ｎ＜ＴＰＣ  ＣＮＴ（Ｎ）＝５なので（Ｓ４にてＮｏ）、電力制御部３３にてΔＴＰＣが算出され（Ｓ９）、送信電力決定部３４にて下り送信電力が決定される（Ｓ１０）。
【００３８】
ＴＰＣ受信タイミングがＲ１４の場合。
【００３９】
無線基地局装置１は、端末装置２もしくは３からの上り信号を受信し、上り信号に多重された上りＴＰＣコマンドを検出する（Ｓ１）。検出された上りＴＰＣコマンド“１”（ＴＰＣ（ｋ））が１つ前（Ｒ１３）に検出されたＴＰＣコマンド“０”（ＴＰＣ（ｋ−１））と比較され（Ｓ２）、値が異なるので（Ｓ２にてＮｏ）、内部カウンタ（Ｎ）のＮ＝０の処理（Ｓ１１）を経て、Ｎの値とＴＰＣ  ＣＮＴ＝５の値とを比較する（Ｓ４）。Ｎ＝０なので（Ｓ４にてＮｏ）、電力制御部３３にてΔＴＰＣが算出され（Ｓ９）、送信電力決定部３４にて下り送信電力が決定される（Ｓ１０）。
【００４０】
ＴＰＣ受信タイミングがＲ１５の場合。
【００４１】
続いて、次の上り信号を受信し、上り信号に多重された上りＴＰＣコマンドを検出する（Ｓ１）。検出された上りＴＰＣコマンド“１”（ＴＰＣ（ｋ））が１つ前（Ｒ１４）に検出されたＴＰＣコマンド“１”（ＴＰＣ（ｋ−１））と比較され（Ｓ２）、値が同じなので（Ｓ２にてＹｅｓ）、内部カウンタ（Ｎ）のＮに１を加算する（Ｓ３）。これにより、Ｎ＝１となる。次に、Ｎの値とＴＰＣ  ＣＮＴ＝５の値とを比較する（Ｓ４）。Ｎ＜ＴＰＣ  ＣＮＴ＝５なので（Ｓ４にてＮｏ）、電力制御部３３にてΔＴＰＣが算出され（Ｓ９）、送信電力決定部３４にて下り送信電力が決定される（Ｓ１０）。
【００４２】
ＴＰＣ受信タイミングがＲ１６の場合。
【００４３】
続いて、次の上り信号を受信し、上り信号に多重された上りＴＰＣコマンドを検出する（Ｓ１）。検出された上りＴＰＣコマンド“１”（ＴＰＣ（ｋ））が１つ前（Ｒ１５）に検出されたＴＰＣコマンド“１”（ＴＰＣ（ｋ−１））と比較され（Ｓ２）、値が同じなので（Ｓ２にてＹｅｓ）、内部カウンタ（Ｎ）のＮに１を加算する（Ｓ３）。これにより、Ｎ＝２となる。次に、Ｎの値とＴＰＣ  ＣＮＴ＝５の値とを比較する（Ｓ４）。Ｎ＜ＴＰＣ  ＣＮＴ＝５なので（Ｓ４にてＮｏ）、電力制御部３３にてΔＴＰＣが算出され（Ｓ９）、送信電力決定部３４にて下り送信電力が決定される（Ｓ１０）。
【００４４】
ＴＰＣ受信タイミングがＲ１７の場合。
【００４５】
続いて、次の上り信号を受信し、上り信号に多重された上りＴＰＣコマンドを検出する（Ｓ１）。検出された上りＴＰＣコマンド“１”（ＴＰＣ（ｋ））が１つ前（Ｒ１６）に検出されたＴＰＣコマンド“１”（ＴＰＣ（ｋ−１））と比較され（Ｓ２）、値が同じなので（Ｓ２にてＹｅｓ）、内部カウンタ（Ｎ）のＮに１を加算する（Ｓ３）。これにより、Ｎ＝３となる。次に、Ｎの値とＴＰＣ  ＣＮＴ＝５の値とを比較する（Ｓ４）。Ｎ＜ＴＰＣ  ＣＮＴ＝５なので（Ｓ４にてＮｏ）、電力制御部３３にてΔＴＰＣが算出され（Ｓ９）、送信電力決定部３４にて下り送信電力が決定される（Ｓ１０）。
【００４６】
ＴＰＣ受信タイミングがＲ１８の場合。
【００４７】
続いて、次の上り信号を受信し、上り信号に多重された上りＴＰＣコマンドを検出する（Ｓ１）。検出された上りＴＰＣコマンド“１”（ＴＰＣ（ｋ））が１つ前（Ｒ１７）に検出されたＴＰＣコマンド“１”（ＴＰＣ（ｋ−１））と比較され（Ｓ２）、値が同じなので（Ｓ２にてＹｅｓ）、内部カウンタ（Ｎ）のＮに１を加算する（Ｓ３）。これにより、Ｎ＝４となる。次に、Ｎの値とＴＰＣ  ＣＮＴ＝５の値とを比較する（Ｓ４）。Ｎ＜ＴＰＣ  ＣＮＴ＝５なので（Ｓ４にてＮｏ）、電力制御部３３にてΔＴＰＣが算出され（Ｓ９）、送信電力決定部３４にて下り送信電力が決定される（Ｓ１０）。
【００４８】
ＴＰＣ受信タイミングがＲ１９の場合。
【００４９】
続いて、次の上り信号を受信し、上り信号に多重された上りＴＰＣコマンドを検出する（Ｓ１）。検出された上りＴＰＣコマンド“１”（ＴＰＣ（ｋ））が１つ前（Ｒ１８）に検出されたＴＰＣコマンド“１”（ＴＰＣ（ｋ−１））と比較され（Ｓ２）、値が同じなので（Ｓ２にてＹｅｓ）、内部カウンタ（Ｎ）のＮに１を加算する（Ｓ３）。これにより、Ｎ＝５となる。次に、Ｎの値とＴＰＣ  ＣＮＴ＝５の値とを比較する（Ｓ４）。Ｎ＝ＴＰＣ  ＣＮＴ＝５なので（Ｓ４にてＹｅｓ）、内部カウンタ（Ｍ）のＭに１を加算する（Ｓ５）。これにより、Ｍ＝１となる。次に、Ｍの値とＴ  ＴＰＣ＝３の値とを比較する（Ｓ６）。Ｍ＜Ｔ  ＴＰＣ＝３なので（Ｓ６にてＮｏ）、電力制御部３３にてΔＴＰＣ＝０の処理がなされ（Ｓ７）、送信電力決定部３４にて下り送信電力の増加量をゼロにする（Ｓ１０）。
【００５０】
ＴＰＣ受信タイミングがＲ２０の場合。
【００５１】
続いて、次の上り信号を受信し、上り信号に多重された上りＴＰＣコマンドを検出する（Ｓ１）。検出された上りＴＰＣコマンド“１”（ＴＰＣ（ｋ））が１つ前（Ｒ１９）に検出されたＴＰＣコマンド“１”（ＴＰＣ（ｋ−１））と比較され（Ｓ２）、値が同じなので（Ｓ２にてＹｅｓ）、内部カウンタ（Ｎ）のＮに１を加算する（Ｓ３）。これにより、Ｎ＝６となる。次に、Ｎの値とＴＰＣ  ＣＮＴ＝５の値とを比較する（Ｓ４）。Ｎ＞ＴＰＣ  ＣＮＴ＝５なので（Ｓ４にてＹｅｓ）、内部カウンタ（Ｍ）のＭに１を加算する（Ｓ５）。これにより、Ｍ＝２となる。次に、Ｍの値とＴ  ＴＰＣ＝３の値とを比較する（Ｓ６）。Ｍ＜Ｔ  ＴＰＣ＝３なので（Ｓ６にてＮｏ）、電力制御部３３にてΔＴＰＣ＝０の処理がなされ（Ｓ７）、送信電力決定部３４にて下り送信電力の増加量をゼロにする（Ｓ１０）。
【００５２】
ＴＰＣ受信タイミングがＲ２１の場合。
【００５３】
続いて、次の上り信号を受信し、上り信号に多重された上りＴＰＣコマンドを検出する（Ｓ１）。検出された上りＴＰＣコマンド“１”（ＴＰＣ（ｋ））が１つ前（Ｒ２０）に検出されたＴＰＣコマンド“１”（ＴＰＣ（ｋ−１））と比較され（Ｓ２）、値が同じなので（Ｓ２にてＹｅｓ）、内部カウンタ（Ｎ）のＮに１を加算する（Ｓ３）。これにより、Ｎ＝７となる。次に、Ｎの値とＴＰＣ  ＣＮＴ＝５の値とを比較する（Ｓ４）。Ｎ＞ＴＰＣ  ＣＮＴ＝５なので（Ｓ４にてＹｅｓ）、内部カウンタ（Ｍ）のＭに１を加算する（Ｓ５）。これにより、Ｍ＝３となる。次に、Ｍの値とＴ  ＴＰＣ＝３の値とを比較する（Ｓ６）。Ｍ＝Ｔ  ＴＰＣ＝３なので（Ｓ６にてＹｅｓ）、Ｍ＝０，Ｎ＝０の処理がなされ（Ｓ８）、電力制御部３３にてΔＴＰＣ＝０の処理がなされ（Ｓ７）、送信電力決定部３４にて下り送信電力の増加量をゼロにする（Ｓ１０）。
【００５４】
ＴＰＣ受信タイミングがＲ２２の場合。
【００５５】
続いて、次の上り信号を受信し、上り信号に多重された上りＴＰＣコマンドを検出する（Ｓ１）。検出された上りＴＰＣコマンド“１”（ＴＰＣ（ｋ））が１つ前（Ｒ２１）に検出されたＴＰＣコマンド“１”（ＴＰＣ（ｋ−１））と比較され（Ｓ２）、値が同じなので（Ｓ２にてＹｅｓ）、内部カウンタ（Ｎ）のＮに１を加算する（Ｓ３）。これにより、Ｎ＝１となる。次に、Ｎの値とＴＰＣ  ＣＮＴ＝５の値とを比較する（Ｓ４）。Ｎ＜ＴＰＣ  ＣＮＴ＝５なので（Ｓ４にてＮｏ）、電力制御部３３にてΔＴＰＣが算出され（Ｓ９）、送信電力決定部３４にて下り送信電力が決定される（Ｓ１０）。
【００５６】
ＴＰＣ受信タイミングがＲ２３の場合。
【００５７】
続いて、次の上り信号を受信し、上り信号に多重された上りＴＰＣコマンドを検出する（Ｓ１）。検出された上りＴＰＣコマンド“１”（ＴＰＣ（ｋ））が１つ前（Ｒ２２）に検出されたＴＰＣコマンド“１”（ＴＰＣ（ｋ−１））と比較され（Ｓ２）、値が同じなので（Ｓ２にてＹｅｓ）、内部カウンタ（Ｎ）のＮに１を加算する（Ｓ３）。これにより、Ｎ＝２となる。次に、Ｎの値とＴＰＣ  ＣＮＴ＝５の値とを比較する（Ｓ４）。Ｎ＜ＴＰＣ  ＣＮＴ＝５なので（Ｓ４にてＮｏ）、電力制御部３３にてΔＴＰＣが算出され（Ｓ９）、送信電力決定部３４にて下り送信電力が決定される（Ｓ１０）。
【００５８】
以下、ＴＰＣ受信タイミングＲ１４以降の動作の繰り返しとなる。又、例えば、ＴＰＣ受信タイミングＲ２２から受信ＴＰＣコマンドの値が“０”に変更された場合は、ＴＰＣ受信タイミングＲ１１〜Ｒ１３に示すのと同様の下り送信電力が行われることになる。
【００５９】
又、受信ＴＰＣコマンドの値“０”もしくは“１”の連続数が３以下の場合（ＴＰＣ受信タイミングがＲ１〜Ｒ１３の場合）の動作は、ＴＰＣ受信タイミングＲ１１〜Ｒ１３の動作と同様となる。
【００６０】
即ち、ＴＰＣ受信タイミングＲ１４〜Ｒ２３に示すように、受信ＴＰＣコマンドの値“１”が多数（本実施例の場合は６個以上）連続する場合は、一定回数（本実施例の場合は５回）送信電力の増加を行うが、その後一定回数（本実施例の場合は３回）送信電力の増加が抑制され、以降この繰り返しとなる。なお、受信ＴＰＣコマンドの値“０”が多数連続する場合の動作も受信ＴＰＣコマンドの値“１”が多数連続する場合の動作と同様に説明することができる。
【００６１】
従って、同じ値の送信電力制御情報が一定回数以上連続して受信された場合に送信電力に制限を加えることができ、もって急激な下り送信電力の変化に起因する他の端末装置への干渉を低減させることが可能となる。
【００６２】
次に、本発明の他の実施例について説明する。
【００６３】
第２実施例
無線基地局装置は複数の端末装置に対して信号を送信する。従って、本発明による上記下り送信電力の制御に加え、下り送信電力の総和に上限を設け、送信電力の総和がその上限、即ち最大値に達した場合に送信電力の変化量をゼロにすることも可能である。このように、下り送信電力の総和に上限を設けることにより、無線基地局装置における消費電力を一定値以内に抑えることが可能となる。
【００６４】
第３実施例
内部カウンタ３２の閾値、ＴＰＣ  ＣＮＴ及びＴ  ＴＰＣの両者あるいはこれらのいずれかを動作環境に応じて変化させることも可能である。例えば、下り送信電力を制御する対象となる端末装置以外の端末装置（以下、これを「他の端末装置」と称する）の数が比較的少なく、下り送信電力を急激に変化させても他の端末装置への干渉は少ないと考えられる場合は、ＴＰＣ  ＣＮＴを上げる。これにより、下り送信電力をより効果的に増加あるいは減少させることが可能となり、下り送信電力を制御する対象となる端末装置においてはより好適な受信レベルが得られる。
【００６５】
一方、同じ値の上りＴＰＣコマンドを連続して長期間受信することになる場合は、Ｔ  ＴＰＣを上げる。これにより、送信電力の変化量がゼロとなる期間が増加するため、下り送信電力の増加あるいは減少の勾配を実質的により緩やかにすることが可能となる。従って、他の端末装置への干渉はより少なくなる。
【００６６】
又、他の端末装置の数が比較的少なく、かつ同じ値の上りＴＰＣコマンドを連続して長期間受信することになる場合は、ＴＰＣ  ＣＮＴ及びＴ  ＴＰＣの両者を上げる。
【００６７】
このように、ＴＰＣ  ＣＮＴ及びＴ  ＴＰＣを変化させることにより、現環境下（例えば、現在の端末装置の数）に応じた最適な下り送信電力の制御が可能となる。
【００６８】
第４実施例
前述したように、本発明における無線基地局装置１はプログラムを記憶した記憶部１８を有している（図１参照）。このプログラムは図４にフローチャートで示す手順を下り電力制御部１６に実行させるためのプログラムである。下り電力制御部１６は記憶部１８からこのプログラムを読み出し、そのプログラムに従って電力制御を実行する。その動作の詳細については既に述べたので、ここでの説明は省略する。
【００６９】
【発明の効果】
以上説明したように本発明は、同じ値の送信電力制御情報が連続受信される回数を計数し、その計数結果に基づき下り送信電力を制御する構成であるため、同じ値の送信電力制御情報が一定回数連続して受信された場合に送信電力に制限を加えることができ、もって急激な下り送信電力の変化に起因する他の端末装置への干渉を低減させることが可能となる。
【００７０】
より具体的に説明すると、ある端末に対する下り送信電力が急激に変化した場合、干渉による他の端末の受信レベル低下あるいは増加を引き起こす可能性がある。そして、受信レベルが低下した端末に関しては、下り送信電力に対する増加要求を実施してしまうという悪循環に陥る可能性がある。これに対し、本発明によればこのような悪循環の発生を防止することが可能となる。
【００７１】
又、端末装置が故障した場合においても、その端末装置が他の端末装置へ与える影響を低減することができる。
【図面の簡単な説明】
【図１】本発明に係る無線基地局装置を含む通信システムの一例の構成図である。
【図２】本発明に係る無線基地局装置の一例の全体構成図である。
【図３】本発明に係る無線基地局装置の下り電力制御部１０の一例の構成図である。
【図４】本発明に係る無線基地局装置の動作の一例を示すフローチャートである。
【図５】本発明に係る無線基地局装置の動作の一例を示すタイミングチャートである。
【符号の説明】
１  無線基地局装置
２  端末装置
３  端末装置
１１  受信アンテナ
１２  無線受信部
１３  逆拡散部
１４  チャネル（ＣＨ）デコード部
１５  逆拡散器
１６  下り電力制御部
１７  Ｒａｋｅ合成部
１８  記憶部
１９  送信アンテナ
２０  無線送信部
２１  送信電力設定部
２２  拡散器
２３  チャネル（ＣＨ）コーディング部
３１  上りＴＰＣコマンド検出部
３２  内部カウンタ
３３  電力制御部
３４  送信電力決定部
【図１】
2004328689.tif 000003
【図２】
2004328689.tif 000004
【図３】
2004328689.tif 000005
【図４】
2004328689.tif 000006
【図５】
2004328689.tif 000007